Podtech/llm-jp-corpus-v4-ja_patent huggingface dataset:
(57)【要約】【課題】障子の持つ良さを生かしながら、それに断熱性を持たせ、現在の省エネルギー住宅に適合できる断熱遮光板を提供する。【解決手段】アルミあるいはプラスチックの角パイプで作った内枠の両面に丈夫な紙を貼って断熱板とし、その周辺に上桟、下桟、縦框を取り付けて窓枠あるいは戸枠に嵌めて断熱効果あるいは遮光性を発揮する断熱遮光板を作る。【選択図】図２
0003154111.tif 000002
【実用新案登録請求の範囲】
【請求項１】
既存の窓枠や戸枠にはめて使用することのできる断熱効果や直射光を遮蔽する効果を持つ高さ１〜２ｍ、幅０．８〜１．２ｍ、厚さ７〜２０ｍｍのアルミ又はプラスチック製の角パイプで作った枠体の表裏に紙を貼り、中に空気を含む２重構造にしてあり、その周辺を囲むように縦框、上桟、下桟を取り付けて窓枠等に嵌め込んで使用することができるようにしてあることを特徴とする断熱遮光板。
【請求項２】
請求項１の断熱遮光板に於いて、上桟に吊車付きの物を使用し、下桟にガイド溝のあるものを使用し、鴨居のハンガーレールに吊り下げて使用できるようにしてあることを特徴とする請求項１記載の断熱遮光板。
【考案の詳細な説明】
【技術分野】
【０００１】  窓枠や戸枠に嵌めて使用する断熱・遮光効果のある建具に関する。
【背景技術】
【０００２】  古来日本家屋建築の建具として、障子が多く用いられてきた。引き戸なので場所を取らず、直射光を避けて間接光にするため、明るさを損なわないで和らいだ雰囲気を作り出す優れた建具であったが、断熱性に欠けるため現代の家屋にはあまり使われなくなっていた。【０００３】  また別の断熱技術としてペアガラスに代表されるように、二枚のガラス板を数ｍｍの間隔を持たせてセットしたものがある。数ｍｍの間隔しかない空気層は内部で空気の対流が起こらないので、対流による熱損失はない。空気の熱伝導率は悪いので、一枚のみのガラス板に比べてペアガラスははるかに断熱性が良い。したがって特に寒冷地では一般家屋にまで広く普及している。
【考案の開示】
【考案が解決しようとする課題】
【０００４】  以上の観点に鑑みて障子の持つ良さに断熱性を加味し、かつ既存の住宅にも簡単に取り付けられ、そして安価に制作できるものを提供する。
【課題を解決するための手段】
【０００５】  窓枠あるいは戸枠より一回り小さいアルミあるいはプラスチック製の枠体の裏表に丈夫な紙を貼り付ける。その時２枚の紙の間隔はあまり広くないのが望ましい。こうして出来上がったものを断熱内枠とする。【０００６】  断熱内枠の周辺にそれぞれの辺を抱き込むように左右には縦框、上には上桟、下には下桟を取り付けて固定する。それぞれの框、桟は窓枠あるいは戸枠に嵌め込みやすく、適合できる構造になっている。
【考案の効果】
【０００７】  上記考案によれば、たかが２枚の紙であるにもかかわらず、その間に動かない空気層を持つために、その断熱効果は大きく、暖房あるいは冷房時の省エネルギーに大きく寄与する。また直射光への遮光性も良く、ブラインドと比較しても室内が暗くなることはない。さらに通常の障子と同じく部屋の雰囲気を和らげる役割も果たす。
【考案を実施するための最良の形態】
【０００８】  本考案の建具は紙を裏表に貼るための内枠とそれを囲むように周辺に取り付けて補強を兼ねると同時に建具としての機能を果たすための外枠とからなる。【０００９】  窓用の内枠としてはアルミ角パイプを使用し幅８０ｃｍ程、高さ１１０ｃｍ程、で補強のため中間部に横桟を一本入れる。アルミ角パイプとしては３０ｍｍｘ１０ｍｍを使用し、１０ｍｍを厚さ方向に該当させれば厚さほぼ１０ｍｍの内枠を作れる。その裏表に丈夫な紙を貼り付けて断熱板とする。【００１０】  その断熱板の周辺には窓枠の鴨居、敷居に適合させることのできる上桟、下桟をそれぞれ上方、下方から内枠にタッピングネジで取り付ける。横方向からはそれぞれ適当な縦框を左右からタッピングネジで取り付ける。
【実施例１】
【００１１】  本考案の断熱遮光板の一例を図面に基いて説明すると図１はアルミ角パイプ３０ｍｍｘ１０ｍｍを使用して組み立てた内枠で、１０ｍｍを厚さ方向に該当させてある。この表と裏に丈夫な白紙を周辺１と横桟２に粘着剤で貼り付けて断熱板をこしらえる。この断熱板の厚さは角パイプの厚さに紙の厚さを加えた約１１ｍｍになる。【００１２】  図２に示すように、この断熱板の上下に上桟３と下桟４、断熱板の左横と右横に縦框５を取り付ける。桟と框はアルミ製のコの字型で、外寸は幅２０ｍｍ厚さ１５ｍｍ、肉厚は２ｍｍで、断熱板を挟み込むように嵌めてタッピングネジで固定する。【００１３】  このように組み立てた断熱遮光板は鴨居と敷居の溝に嵌めて、横方向にスライドさせるように使用するか、又は嵌めたままで動かさない、嵌め殺しにして使用することができる。
【実施例２】
【００１４】  作り方は実施例１と同様であるが、上桟に吊車付きのものを使い、下桟にガイド溝のあるものを使用し、鴨居にハンガーレールを敷居にガイドレールを取り付けて、断熱遮光板を吊り下げ、動かせるようにしてある。
【産業上の利用可能性】
【００１５】  以上説明したように、本考案の断熱遮光板は木材を使用していないので、耐久性に優れ、狂いが来ない。断熱性能が優れているので家屋の省エネルギーに役立つ。また製造法も簡単で作業性が良いので安価に提供することができる。
【図面の簡単な説明】
【００１６】
【図１】両面に紙を貼って断熱板とする為の内枠。
【図２】断熱板に上桟、下桟を両側に縦框を取り付けた断熱遮光板。
【符号の説明】
【００１７】  １  内枠の周辺、  ２  内枠の横桟、  ３  上桟、  ４  下桟、  ５  縦框、  ６  紙
【図１】
0003154111.tif 000003
【図２】
0003154111.tif 000004
(57)【要約】      （修正有）【課題】顔の表情がその都度、瞬時に変化する玩具を提供する。【解決手段】回転盤２の中心部に歯車３を取り付け、回転盤２が回転自在にあるように、歯車３を軸等で本体１に支持し、駆動棒４の上部にストッパー５を取り付け、下部には爪６を設けてなり、該駆動棒４は上下動自在に可動するように、本体１の支持具７に取り付けてなる。【選択図】図１
0003154120.tif 000002
【実用新案登録請求の範囲】
【請求項１】
回転盤の中心部に歯車を取り付け、回転盤が回転自在にあるように、歯車を軸等で本体に支持し、駆動棒の上部にストッパーを取り付け、下部には爪を設けてなり、該駆動棒は本体に上下動自在に可動するように、支持具にて取り付けることを特徴とする目が変化する玩具。
【考案の詳細な説明】
【技術分野】
【０００１】  本考案は、顔の目を幾通りも不規則に変化させ、その都度顔の表情が変わり、ユーモアを提供する目が変化する玩具に関するものである。
【背景技術】
【０００２】  目が変化する玩具はあったが、目の変化する回数が少なくユーモアに乏しかった。
【考案の開示】
【考案が解決しょうとする課題】
【０００３】  目の変化する回数少なく、意思に関係なく不規則に幾通りもの目を表示させることができなかった。本考案は以上の問題点を解決しょうとするものである。
【課題を解決するための手段】
【０００４】  本体は前後に回転するようにスタンドに支持し、本体表面板には顔を絵図し、目部は透視状にし、回転盤の表面には歯車の歯の数と同数の目の絵図を表示し、回転盤の裏面中心部に歯車を取り付け、回転盤が回転自在にあるように、歯車を軸等で本体に支持し、駆動棒の上部に歯車の歯と歯合するストッパーを取り付け、下部には歯と接する爪を設けてなり、該駆動棒は適当な重さにしてあり、上下動自在に可動するように、本体の支持具に取り付けることにより問題点を解決している。
【考案の効果】
【０００５】  スタンドに立てた本体を前後に回転することで、駆動棒が上下動自在に可動し、爪が歯に接すると歯車が回転し、すなわち回転盤が回転し、本体の顔を正面で止めると、駆動棒が下がりストッパーが歯に嵌り、回転盤が停止する。回転盤の表面に歯車の歯の数と同数の目の絵図を標示してあるので、これらの目の絵図が本体の顔の目部に不規則に表示され、顔の表情がその都度変化するなど大なるユーモアを提供できる。
【考案を実施するための最良の形態】
【０００６】  以下本考案の実施の形態について説明する。
回転盤（２）の中心部に歯車（３）を取り付け、回転盤（２）が回転自在にあるように、歯車（３）を軸等で本体に支持し、駆動棒（４）の上部に歯車（３）の歯と歯合するストッパー（５）を取り付け、下部には歯と接する爪（６）を設けてなり、該駆動棒（４）は適当な重さにしてあり、上下動自在に可動するように本体（１）の支持具（７）に取り付ける。  回転盤（２）の表面に歯車（３）の歯の数と同数の目の絵図を表示し、本体（１）は前後に回転自在にあるようにスタンド（８）に取り付け、本体表面板（９）の顔の目部は透視状にしてある。
本考案は、以上の構造でこれを使用するときは、スタンド（８）に立てた本体（１）を前または後ろに回転させると駆動棒（４）は上または下に動き、爪（６）が歯を駆動させ回転盤（２）を回転させ、本体表面板（９）を垂直に立てると駆動棒（４）が下動し、ストッパー（５）が歯車（３）の歯に嵌り、回転盤（２）が停止する。本体表面板（９）の顔の目部には、１０分の１の確立で目の絵図が表示される。例えば漫画風の眠りの目の絵図は、１８０度回転すると、漫画風の笑いの目の絵図となり、本体表面板（９）の眠りの顔から笑いの顔が現れる。本体（１）を前または後ろに回転させる速さによって、目の絵図の表示が不規則に変化し、本人の意思に関係なく、１・２秒で顔の表情が変化する。
【図面の簡単な説明】
【０００７】
【図１】  本考案の裏面側断面図
【図２】  本考案の表面側断面図
【図３】  本考案の斜視側面図
【符号の説明】
【０００８】  １    本体
２    回転盤
３    歯車
４    駆動棒
５    ストッパー
６    爪
７    支持具
８    スタンド
９    本体表面板
【図１】
0003154120.tif 000003
【図２】
0003154120.tif 000004
【図３】
0003154120.tif 000005
(57)【要約】      （修正有）【課題】寝具のずり落ちを防ぐ簡単な装置を提供する。【解決手段】寝具の上に置くことによって、寝具のずり落ちを防ぐために、袋体の中空部に錘用の部材を詰め込んだ重しを作る。錘用の部材は、洗って消毒した砂、米、重いプラスチックの粒などとする。錘用の部材を、まずプラスチックまたはゴムまたは目の詰まった防水性の袋２に入れ、さらに布製の丈夫な袋１に入れる。袋の下側の寝具に触れる部分は滑りにくい材質にすることが望ましい。袋の形、大きさは、様々だが、５キログラム入り米袋位が標準的である。さらに、上記の袋に動物などの縫いぐるみをつける。または、縫いぐるみの中に前項の重し袋を組み込む。【選択図】図１
0003154112.tif 000002
【実用新案登録請求の範囲】
【請求項１】
寝具の上に置くことによって、寝具のずり落ちを防ぐために、袋体の中空部に錘用の部材を詰め込んだことを特徴とする重し。
【考案の詳細な説明】
【技術分野】
【０００１】  本考案は、重しを用いて寝具のずり落ちを防ぐ装置に関するものである。
【背景技術】
【０００２】  従来、毛布などはずり落ちを防ぐために、マットの下に巻きいれベッドメーキングしてきた。また、布団についてはずり落ちを防ぐ適当な方法が見当たらない。
【考案の概要】
【考案が解決しようとする課題】
【０００３】  毛布などによるベッドメーキングは面倒で、熟練を要する。布団についてはずり落ちを防ぐ適当な方法が見当たらない。どんな寝具にでも簡単に利用可能な、ずり落ち防止装置が望まれる。
【課題を解決するための手段】
【０００４】  重しを寝具の上に置くことによって、寝具のずり落ちを防ぐ。この重しには小粒の重い物質を詰めた袋を用いる。
【考案の効果】
【０００５】  前項で述べた重しは寝具への利用、調節が容易であり、簡単であるが、ずれ止め効果がよい。また、ベッドの上の寝具だけでなく、畳の上に敷いた寝具のずれ止めにも役立つ。また、詰め物入りの重し袋に動物などの縫いぐるみをつければ心を和ませる飾りものともなる。
【図面の簡単な説明】
【０００６】
【図１】縫いぐるみに取り込んだ重しの例である。
【図２】基本となる重しの例である。
【考案を実施するための形態】
【実施例】
【０００７】  細かい重いものを入れた重し袋。洗って消毒した砂、米、重いプラスチックの粒などの錘用の部材を、まずプラスチックまたはゴムまたは目の詰まった防水性の袋に入れ、さらに布製の丈夫な袋に入れる。袋の下側の寝具に触れる部分は滑りにくい材質にすることが望ましい。袋の形、大きさは、様々だが、５キログラム入り米袋位が標準か。【０００８】  前項の袋に動物などの縫いぐるみをつける。または、縫いぐるみの中に前項の重し袋を組み込む。
【符号の説明】
【０００９】  １  外袋
２  内袋
【図１】
0003154112.tif 000003
【図２】
0003154112.tif 000004
(57)【要約】      （修正有）【課題】リードの外力による引出または揺動を防止することができるコネクタ用リード係止具を提供する。【解決手段】リード係止具１０は、クリップ部１１と翼部１２とを備える。クリップ部１１は、金属プレートで一体成形され、コネクタ本体のリードを収容し、クリップ部１１の両側の自由端が合せられると、リードを係止することができる。翼部１２は、クリップ部１１のサイドから外側に伸びる。【選択図】図１
0003154185.tif 000002
【実用新案登録請求の範囲】
【請求項１】
金属プレートで一体成形され、コネクタ本体のリードを収容し、その両側の自由端を合せると、前記リードを係止することができるクリップ部と、
前記クリップ部のサイドから外側に伸びる翼部と、
を備えることを特徴とするコネクタ用リード係止具。
【請求項２】
前記クリップ部の自由端には、定位歯部が設けられ、前記クリップ部の両側にある自由端を合せると、前記定位歯部によりリードが確実に噛み込まれて固定されることを特徴とする、請求項１に記載のコネクタ用リード係止具。
【考案の詳細な説明】
【技術分野】
【０００１】
本考案は、コネクタ用のリード係止具に関し、特に、コネクタ本体のリードを包み、リードをクリップするクリップ部を含み、クリップ部の側縁には、翼部が突出し、射出成形によりリード係止具とコネクタ本体とが共に絶縁層に包まれ、翼部がフック形状を呈し、翼部により、リード係止具に包まされたリードの外力による引出または揺動を防止することができるコネクタ用リード係止具に関するものである。
【背景技術】
【０００２】
電子信号を伝送するコネクタは、端子本体を有することが一般であり、端子本体には、端子が多数嵌め設けられ、各端子には、リードが溶接され、各リードが絶縁皮に包まれ、更に、端子本体が金属ケースに囲まれ、金属ケースによりノイズ電波が遮蔽され、且つ射出成形により金属ケースが絶縁層に包まれる。
【０００３】
このようなコネクタは、射出成形によりリードの一部を絶縁層で包み、そうすると、外部に露出するリードが外力に引かれて端子から剥離することを防止できるが、絶縁層に包まれたリードの表面が極めて平滑であり、且つリードと絶縁層が確実に接合しないので、外部に露出するリードは、外力に引かれると、端子から剥離することがある。リードが端子から剥離したと、コネクタが使用不能になる。
【考案の概要】
【考案が解決しようとする課題】
【０００４】
本考案の主な目的は、リードの外力による引出または揺動を防止することができるコネクタ用リード係止具を提供することにある。
【課題を解決するための手段】
【０００５】
本考案の請求項１によるコネクタ用リード係止具は、クリップ部、及び翼部を備える。クリップ部は、金属プレートで一体成形され、コネクタ本体のリードを収容し、その両側の自由端を合せると、リードを係止することができる。翼部は、クリップ部のサイドから外側に伸びる。
【０００６】
本考案の請求項２によるコネクタ用リード係止具は、クリップ部の自由端には、定位歯部が設けられ、クリップ部の両側にある自由端を合せると、定位歯部によりリードが確実に噛み込まれて固定される。
【考案の効果】
【０００７】
本考案のコネクタ用リード係止具によれば、次のような効果がある。
（１）リードをクリップするクリップ部は、その自由端には、定位歯部が設けられ、両側にある定位歯部を合せるときに、定位歯部がリードを噛み止め、これにより、噛み止められるリードはクリップ部から離脱することができなくなる。
【０００８】
（２）コネクタ用リード係止具には、翼部が設けられ、コネクタ本体を射出成形したときには、翼部が絶縁層に埋め込まれるので、リードの外力による引出または揺動を防止することができる。
【図面の簡単な説明】
【０００９】
【図１】本考案の一実施形態の斜視図である。
【図２】本考案の一実施形態のリード係止具がコネクタに適用され、リード係止具がコネクタのリードを挟んでいない状態の模式図である。
【図３】本考案の一実施形態のリード係止具がコネクタに適用され、リード係止具がコネクタのリードを挟んだ状態の模式図である。
【図４】絶縁層で図３におけるものを包んだ状態の模式図である。
【図５】図３の５−５線の矢視断面図である。
【図６】図４の６−６線の矢視断面図である。
【考案を実施するための形態】
【００１０】
以下、本考案の一実施形態を図面に基づいて説明する。
まず、図１から図６を参照する。本形態のコネクタ用リード係止具１０は、金属プレートで一体成形され、クリップ部１１と、翼部１２と、を含む。クリップ部１１は、プレス加工によりＵ字形に成形され、コネクタ本体２０のリードＬを収容し、その両側の自由端１１ａ、１１ｂを合せると、リードＬを係止することができる。翼部１２は、クリップ部１１のサイドから外側に伸びる。図４及び図６に示すように、射出成形によりコネクタ用リード係止具１０とコネクタ本体２０とが絶縁層３０に埋め込まれ、翼部１２がフック形状を呈するので、翼部１２によりリードＬの外力による引出または揺動を防止することができる。
【００１１】
本形態のコネクタ用リード係止具１０は、そのクリップ部１１の両側にある自由端１１ａ、１１ｂのうちの自由端１１ａには、突出部１１１が設けられ、自由端１１ｂには、凹部１１２が設けられ、自由端１１ａ、１１ｂを合せる場合には、突出部１１１と凹部１１２とが噛合状態になり、外力による自由端１１ａ、１１ｂの相対的な移動を防止することができる。
【００１２】
本形態のコネクタ用リード係止具１０は、そのクリップ部１１の両側にある自由端１１ａ、１１ｂには、内側に湾折された定位歯部１１３が設けられ、図１、図３及び図５に示すように、クリップ部１１の両側にある自由端１１ａ、１１ｂを合せると、定位歯部１１３によりリードが確実に噛み込まれて固定され、外力によりリードＬがクリップ部１１から離脱することを防止することができる。
【００１３】
本形態のコネクタ用リード係止具１０は、図１に示すように、クリップ部１１の両側から外部に伸びる翼部１２を有し、各翼部１２がクリップ部１１とほぼ垂直する。
【００１４】
このように、本考案を、特定の形態を参照して説明されたが、それらの例は、説明のためだけのものであり、本考案を限定するものではなく、この分野に通常の知識を有する者には、本考案の精神および範囲を逸脱することなく、ここで開示された実施形態に変更、追加、または、削除を施してもよいことがわかる。
【産業上の利用可能性】
【００１５】
本考案は、コネクタに適用することができる。
【符号の説明】
【００１６】
１０：リード係止具、１１：クリップ部、１２：翼部、１１ａ，１１ｂ：自由端、２０：コネクタ本体、３０：絶縁層、１１１：突出部、１１２：凹部、１１３：定位歯部、Ｌ：リード。
【図１】
0003154185.tif 000003
【図２】
0003154185.tif 000004
【図３】
0003154185.tif 000005
【図４】
0003154185.tif 000006
【図５】
0003154185.tif 000007
【図６】
0003154185.tif 000008
(57)【要約】      （修正有）【課題】アスベスト(石綿)を含有させた波形スレート壁材の改装において、既設壁面を取り外さず、アスベスト(石綿)が飛散するのを阻止し、防音・防水の効果をきたし、壁外面部の昇温を回避することができる波形スレート壁に対する金属壁材の施工構造を提供する。【解決手段】既設波形スレート壁材で、山部、谷部の長さ方向を鉛直方向に施工された壁面の谷部に、薄金属鋼板にて成型した金属壁材の谷部を対向させ、その部分を貫通する固定具にて壁下地材に取り付ける施工構造とするものである。【選択図】図１
0003154196.tif 000002
【実用新案登録請求の範囲】
【請求項１】
波形スレート壁材で山部及び谷部の長さを鉛直方向にして施工された壁面に対しその上に薄金属板にて成型した金属壁材で覆うことを特徴とする波形スレート壁に対する金属壁材の施工構造。
【請求項２】
波形金属壁材の形状は、波型スレート壁材の波形模様に対して、角をモチーフにストラ
イプ模様を特徴とする請求項１に記載の波形スレート壁に対する金属壁材の施工構造。
【請求項３】
波形金属壁材で固定具の取り付ける谷部分底部には、締め付けの際、発生する歪を解消させる山形を特徴とする請求項１又は請求項２に記載の波形スレート壁に対する金属壁材の施工構造。
【考案の詳細な説明】
【技術分野】
【０００１】
本考案は、波形スレート壁の改修施工構造に係り、金属壁材により既設スレート壁面を覆うように施工し、波形スレート壁材から発生するアスヘ゛スト(石綿)の飛散を阻止し、特に、改装後は、壁面が二層構造となることにより、防音、防水の効果が生じ、また、壁外面からの昇温を回避する。
【背景技術】
【０００２】
アスベスト(石綿)を含有させた波形スレート壁材は、耐熱性、耐火性に優れ、工場などの外壁に使用されていたが、アスベスト(石綿)の飛散による塵肺や気管支障害を起こすなどの公害問題が発生した為、アスベスト(石綿)を含有させることは、禁止されるようになった。しかし、アスベスト(石綿)を含有させた波形スレート壁材は、尚、多く既存しているのが現状である。
【先行技術文献】
【特許文献】
【０００３】
【特許文献１】特開平07-150733号公報
【考案の概要】
【考案が解決しようとする課題】
【０００４】
ところで、外壁の改装については、既設壁面を取り外して行われることが多く、アスベスト(石綿)を含有させた波形スレート壁面では、取り外しの際に多分のアスベスト(石綿)が飛散する。そこで、本考案は既設スレート壁材を取り外さず、そのうえから波形金属壁材で覆うように施工し、アスベスト(石綿)の飛散を阻止すると同時に、既設壁面の質感を変え、特に壁面が二層構造となるため為、防音、防水の効果をきたし、又、壁外面部の昇温を回避することができる波形スレート壁に対する金属壁材の施工構造を提供すること目的とする。
【課題を解決するための手段】
【０００５】
上述の目的を解決する為の、本考案の波形スレート壁に対する金属壁材の施工構造は、波形スレート材２の山部２ａ、谷部２ｂの長さ方向を鉛直方向に施工された既設スレート壁材２を撤去せず、そのうえから薄金属板にて波付け成型した波形金属壁材１で覆うようにし、波形スレート材２の谷部２ｂと波形金属壁材１の谷部分１ｃ底部８を対向させ、その箇所において貫通させた固定具５を壁下地３に締め付け固定させるものである。
【考案の効果】
【０００６】
アスベスト(石綿)を含有させた波形スレート壁材の改装において、既設壁面を取り外さず、そのうえに、金属壁材で覆うように施工する為、アスベスト(石綿)が飛散するのを阻止する。
【図面の簡単な説明】
【０００７】
【図１】本考案の実施例を示す、水平断面図である。
【図２】図１に示す実施例の、接続部の拡大断面図である。
【考案を実施するための形態】
【０００８】
波形金属壁材１は、波形スレート壁材２の谷部巾Ｌ２と、波形金属壁材１の谷部分１ｃ頂部巾Ｌ１と略等しく谷部分１ｃ底部８は、谷部分１ｃ斜部７を通じ谷部分１ｃ頂部の巾Ｌ１の半分の巾で扁平に形成され、谷部分１ｃ底部８の両端には、その全長にわたり低く細い山形を形成する。波形金属壁材１における波形ピッチＰ１は、波形スレート壁材２の波形ピッチＰ２の５倍であり、波形金属壁材１の山部１ａにはその全長にわたり波形金属壁材１の谷部１ｃ頂部巾Ｌ１と同じ巾の深い凹溝１ｂが等分間隔に角をモチーフに形成され波形金属壁材１の山部１ａ及び凹溝部１ｂの裏面と波形スレート壁材２の表面の間に空所４を形成する。
【実施例】
【０００９】
以下、本考案を図面に基づいて詳述する。図１から、既設の波形スレート壁材２は、その山部２ａ及び谷部２ｂの長さを鉛直方向に、固定ボルト６により壁下地３に固定され施工されたものであり、その上から波形金属壁材１の谷部分１ｃと波形スレート壁材２の谷部２ｂを対向させる。波形金属壁材１の谷部分１ｃの斜部７と、波形スレート壁材２の斜部が沿うようにすることで、波形金属壁材１の谷部分１ｃの安定を確保し、波形金属材１の谷部分１ｃ底部８と、波形スレート壁材２の谷部２を貫通させ、固定具５により、壁下地３に固定する。波形金属壁材１の谷部分１ｃ底部８は扁平で、その両端部には、全長にわたり低く細い山形９を形成している為、固定具５の周囲から雨水が浸入するのを防ぐのである。
【００１０】
波形金属材１の山部１ａは、その凹溝部１ｂの巾で角をモチーフに均等に分けられ波形スレート壁材２の山部２ａ及びその谷部２ｂにそれぞれ対向し、空所４を形成する。このように既設波形スレート壁の波模様とは、全く違った形状であり、壁面にストライプ模様の繊細な感じを与える。また、空所４により壁外面からの昇温を回避し、壁面が二層構造になることにより、防音、防水の効果をきたす。
【００１１】
接続部については、図２において詳述する。波形金属壁材１，１の接続構成は、波形金属壁材１の谷部分１ｃの上に、もう一方の波形金属壁材１の片方に形成されたその谷部分１ｃ斜部７と谷底部８を丁寧に合わせ、その谷底部８の扁平な部分において波形スレート壁材２の谷部分２ｂと共に貫通させ、固定具５で壁下地３に強く固定し、谷底部８の両端の山形９は、その時生じる歪を解消させる。
【符号の説明】
【００１２】
１  波形金属壁材
１ａ  山部
１ｂ  凹み溝部
１ｃ  谷部分
２  波形スレート壁材
２ａ  山部
２ｂ  谷部
３  壁下地
４  空所
５  固定具
６  固定ボルト
７  谷部分１ｃ斜部
８  谷部分１ｃ底部
９  山形
【図１】
0003154196.tif 000003
【図２】
0003154196.tif 000004
(57)【要約】      （修正有）【課題】車等又必要な金属部分の場所に傷をつける心配なく又脱落する心配なく簡単に取り付け、取り外しが出来る、正月用車しめ縄飾り、正月車飾り用着脱磁石シートを提供する。【解決手段】空気抜き穴６付磁石シート２正月用飾り５は、磁石シート２の表面から裏面に貫通する穴６を開けた磁石シートの表面に、正月用しめ縄飾り、正月飾りの写真、又は絵柄、イラスト等をデザインしたものを印刷することにより、着脱自在に構成出来る。空気抜き穴付であるので、必要な場所に貼り付ける時、中央部から外へ空気を押し出しながら貼り付けることなく、簡単に貼りつけできる。【選択図】図２
0003154121.tif 000002
【実用新案登録請求の範囲】
【請求項１】
磁石シートの表面に写真、絵柄、イラストの少なくとも１つを印刷若しくは貼着したことを特徴とする着脱磁石シート。
【請求項２】
上記磁石シートに空気抜き穴を穿設したことを特徴とする請求項１に記載の着脱磁石シート。
【考案の詳細な説明】
【技術分野】
【０００１】本考案品は、中央部から空気を押し出しながら、貼り付けることなく、車等又必要な金属部分の場所に傷をつける心配なく又脱落する心配なく簡単に取り付け、取り外しが出来る、正月用車しめ縄飾り、正月車飾りに関するものである。
【背景技術】
【０００２】従来の正月用車飾りには凹凸があるモノがある。
【課題を解決しようとする課題】
【０００５】従来の正月用車飾りには凹凸があるモノがあり、車の洗車時には取り外し、取り付けに時間がかかっていた。又取り付けている正月飾りが外れてないか、又車にキズをつけながら運転してないか、確認する為に運転中でも車を停車させ何度も確認をしていた。
【課題を解決するための手段】
【０００６】空気抜き穴を設けた磁石シートに、正月用車飾りの写真、または絵柄、イラストをデザインしたものを印刷若しくは、貼着し、磁石の力で脱落しないように金属部分に貼り付けられることで解決できた。
【考案の効果】
【０００７】本考案の空気抜き穴付、磁石シート正月用飾りは、磁石シートの表面から裏面に貫通する穴を開けた磁石シートの表面に、正月用しめ縄飾り、正月飾りの写真、又は絵柄、イラスト等をデザインしたものを印刷することにより、着脱自在に磁着出来る。
本考案品を必要な場所に貼り付ける時、中央部から外へ空気を押し出しながら貼り付けることなく、簡単に貼りつけできる、又洗車時には簡単に取り外し、取り付けができ、また脱落してないか運転中に確認をしなくてもよく、車にキズがつく心配もなくなる。更に、カラフルな印刷をすることで従来にない自由な色彩が楽しめ、正月を明るい気分で迎えられることができる。
【図面の簡単な説明】
【０００８】
【図１】本考案に係る着脱磁石シートの斜視図である。
【図２】本考案に係る着脱磁石シートの使用様態図を示す斜視図である。
【図３】本考案に係る着脱磁石シートの断面図である。
【考案を実施するための形態】
【０００９】本考案品は空気抜き穴を設けた、磁石シートに正月用しめ縄飾り正月飾りの写真、又は絵柄、イラスト等をデザインしたものを印刷した磁石着脱シートで、以下、本考案の一実施例について図面に基づき説明する。
【実施例】
【０００１０】図１に図示するごとく、本実施例では、磁石シート２の表面に、正月用車飾りセット１と、扇子３、国旗４、しめ縄部品各種５を取り付けるとともに、磁石シート２に空気抜き穴６を穿けた事例である。図２は、本考案に係る着脱磁石シートの使用様態図を示し、図３は、本考案に係る着脱磁石シートの断面を示す図である。
【産業上の利用可能性】
【０００１１】本実施例では、空気抜き穴付磁石シートに正月用飾りの写真、絵柄、イラスト等をデザインしたものを磁石シート２の表面に取り付けるとともに、磁石シート２に空気抜き穴６を穿けた事例であるが、正月用の門松飾りが必要な住宅にも住宅用として用いることもできるものである。
【符号の説明】
【０００１２】１  正月用車飾りセット
２  磁石シート
３  扇子
４  国旗
５  しめ縄部品各種
６  空気抜き穴
７  印刷（写真、絵柄、イラスト）
【図１】
0003154121.tif 000003
【図２】
0003154121.tif 000004
【図３】
0003154121.tif 000005
(57)【要約】      （修正有）【課題】発送先の異なる似通った石材加工品を梱包した際に、梱包品の発送先毎の識別を正確で且つ容易に識別できるようにすること、更には当該梱包視していた縄の使用後の後処理が容易なようにする縄を提供する。【解決手段】梱包する縄に着色し、発送先毎に縄の色を変えること、また縄素材を生分解性繊維として環境を汚染することなく使用後の後処理を容易とする。更に撚り合わせた縄に適宜着色したので梱包した商品の識別は容易となり、誤発送の心配はなくなる。【選択図】図１
0003154123.tif 000002
【実用新案登録請求の範囲】
【請求項１】
有着色と無着色の複数本の生分解性繊維よりなる紙紐又は不織布紐を撚り合わせて一条の縄としたことを特徴とする生分解性を有する着色縄。
【考案の詳細な説明】
【技術分野】
【０００１】  本考案は、紙又は不織布からなる縄の改良に関するものである。
【背景技術】
【０００２】  梱包資材となる縄は、稲藁の縄が安価であり、また後処理にも好適であるが、近年稲藁は収穫期に裁断される量が多くなり、そのため縄の原料として供給される量が著しく減量している。また麻やジュートは繊維が剛直であり、使用中に作業者の手指が痛くなる問題の上に、脱落した繊維屑が身体に付着すると痒くなる欠点があり作業性が必ずしも良好とはいえなかった。またポリプロピレン等の合成樹脂製であれば軽くて柔軟であり、梱包資材としては好適であるが、使用後の縄の後処理について考えた場合、このような縄は年月が経っても腐敗せず、環境汚染の点からも後処理が困難であった。【０００３】  このようなことから近年では紙又は不織布よりなる縄は種々の用途に用いられていたが、中でも重量物の石材加工品の梱包にもよく用いられていた。近年、墓石等に代表される石材加工品は中国での加工が主であり、その中国から縄で梱包されて送られてくる。このような中で、中国の加工会社から日本国内の夫々の会社宛に縄で梱包された石材加工品を送る際に、同じ縄で梱包された同じような石材加工品を送り分けるには誤送付という問題を避けることが出来なかった。もちろんこれは、中国から日本へという問題だけでなく、国内においても同じような問題は発生していたのである。
【考案の開示】
【考案が解決しようとする課題】
【０００４】  解決しようとする問題点は、発送先の異なる似通った石材加工品を梱包した際に、梱包品の発送先毎の識別を正確で且つ容易に識別できるようにすること、更には当該梱包視していた縄の使用後の後処理が容易なようにすること、これが考案が解決しようとする課題である。
【課題を解決するための手段】
【０００５】  本考案は、梱包する縄に着色し、発送先毎に縄の色を変えること、また縄素材を生分解性繊維として環境を汚染することなく使用後の後処理を容易とすること、これが課題を解決するための手段である。
【考案の効果】
【０００６】  本考案は、有着色と無着色の複数本の生分解性繊維よりなる紙紐又は不織布紐を撚り合わせて一条の縄としたことを特徴とする生分解性を有する着色縄であるから、従来、稲藁の縄が安価でありた後処理にも好適であったが、近年稲藁は収穫期に裁断される量が多くなって縄の原料として供給される量が著しく減量しているし、また麻やジュートは繊維が剛直であり、使用中に作業者の手指が痛くなる問題の上に、脱落した繊維屑が身体に付着すると痒くなる欠点があり作業性が必ずしも良好とはいえなかった。またポリプロピレン等の合成樹脂製であれば軽くて柔軟であり、梱包資材としては好適であるが、使用後の縄の後処理について考えた場合、このような縄は年月が経っても腐敗せず、環境汚染の点からも後処理が困難であり、このような問題を解決するための紙又は不織布の縄にあっても、重量物の石材加工品の梱包にもよく用いられており、近年、墓石等に代表される石材加工品は中国での加工が主であり、中国の加工会社から日本国内の夫々の会社宛に縄で梱包された石材加工品を送る際に、同じ縄で梱包された同じような石材加工品を送り分けるには誤送付という問題を避けることが出来なかった。もちろんこれは、中国から日本へという問題だけでなく、国内においても同じような問題は発生していたが、本考案では、縄素材は生分解性を有する繊維とし、更に撚り合わせた縄に適宜着色したので梱包した商品の識別は容易となり、誤発送の憂いはなくなるものである。しかも縄素材を生分解性繊維としているので、後処理で環境を汚染することはない等、極めて顕著なる実用的効果を有する者である。
【考案を実施するための最良の形態】
【０００７】  有着色と無着色の複数本の生分解性繊維よりなる紙紐又は不織布紐を撚り合わせて一条の縄としたことを特徴とする生分解性を有する着色縄を呈せんとするものである。
【実施例１】
【０００８】  ２本或いは３本等、複数の生分解性繊維よりなる紙又は不織布の紐２を撚り合わせて一条の縄１を成形する。【０００９】  複数本の紐２のうち、適宜の紐２に黄色、赤色、青色等などの着色を施し、当該着色紐３と無着色紐２を撚り合わせて着色縄としている。
【産業上の利用可能性】
【００１０】  本考案は、有着色３と無着色２の複数本の生分解性繊維よりなる紙紐又は不織布紐を撚り合わせて一条の縄１としたことを特徴とする生分解性を有する着色縄であるから、従来、稲藁の縄が原料として供給される量が著しく減量しているし、また麻やジュートは作業性が必ずしも良好とはいえなかったし、またポリプロピレン等の合成樹脂製であれば軽くて柔軟であり、梱包資材としては好適であるが、環境汚染の点からも後処理が困難であり、このような問題を解決するための紙又は不織布の縄にあっても、重量物の石材加工品の梱包にもよく用いられているが、中国の加工会社から日本国内の夫々の会社宛に縄で梱包された石材加工品を送る際に、同じ縄で梱包された同じような石材加工品を送り分けるには誤送付という問題を避けることが出来なかった。もちろんこれは、中国から日本へという問題だけでなく、国内においても同じような問題は発生していたが、本考案では、縄１の素材は生分解性を有する繊維とし、更に撚り合わせた縄に適宜着色したので梱包した商品の識別は容易となり、誤発送の憂いはなくなるものである。しかも縄素材を生分解性繊維としているので、後処理で環境を汚染することはない等、極めて顕著なる実用的効果を有し、産業上の利用可能性は極めて大きいものがある。
【図面の簡単な説明】
【００１１】
【図１】  縄の側面図である。
【符号の説明】
【００１２】  １  縄
２  紐
３  着色紐
【図１】
0003154123.tif 000003
(57)【要約】      （修正有）【課題】鳥が嫌忌する釣り糸様の糸や網を張ることにより、空港付近における、いわゆるバードストライクを防止するシステムを提供する。【解決手段】鳥類がナイロンテグスのような糸を嫌忌する習性を利用し、休息等のため鳥が集まりやすい空港滑走路付近や周辺の草地、空き地、さらに付近の海面などにナイロンテグスのような糸、あるいはナイロンその他の糸で編んだネット状の防止網を設置して鳥類の飛来、滞留、そして航空機への衝突を防止する。【選択図】図１
0003154103.tif 000002
【実用新案登録請求の範囲】
【請求項１】
空港滑走路上または周辺の地上あるいは海上に、ナイロンテグスなど釣り糸様の糸または網を張ることにより、鳥の飛来、滞留、集散を防ぎ、空港における鳥と航空機の衝突事故を予防、回避ないし減少するシステム。
【考案の詳細な説明】
【考案の概要】
鳥と航空機の衝突に起因する事故を予防するために、鳥が忌避する釣り糸や網を用いて鳥の飛来、集散、滞留を防止する工夫。
【考案が解決しようとする課題】航空機に鳥が衝突して機体を損傷し、飛行の安全を脅かすいわゆるバードストライクは航空機の離着陸時に空港周辺で多発し、その防止、減少のため世界各地の空港では銃声、爆音、花火打ち上げ、薬品散布などのほか、鳥の摂食、繁殖地ともなりうる草地の除草、草刈など種々の方法を講じているが、いずれも決め手に欠けるのが現状である。また、離着陸時だけ一時的に鳥を追い払うよりも、鳥の飛来そのものを防止することが望ましい。
【課題を解決するための手段】本案は鳥類がナイロンテグスのような糸を嫌忌する習性を利用し、休息等のため鳥が集まりやすい空港滑走路付近や周辺の草地、空き地、さらに付近の海面などにナイロンテグスのような糸、あるいはナイロンその他の糸で編んだネット状の防止網を設置して鳥類の飛来、滞留、そして航空機への衝突を防止せんとするシステムである。
【考案の効果】一般に鳥類はナイロンテグス様の糸や網を忌避する習性があるため、これを滑走路の周辺に展張すれば、鳥の飛来、休息、集散行動を防止し、鳥が航空機の離発着時などに飛び立って航空安全を妨げる事故を防止することができる。
【図面の簡単な説明】
【図１】滑走路端における本システムの設置例を示した図である。
【図２】海上における本システムの設置例を示した図である。
【図１】
0003154103.tif 000003
【図２】
0003154103.tif 000004
(57)【要約】      （修正有）【課題】魚釣り竿等の棒状体に、取り付け具を用いることなく容易に取り付けることができるタグを提供する。【解決手段】タグ１は厚紙よりなり、下端側に一対の挟持片３が開口と切り離し部４が打ち抜き形成されることで設けられ、上端側に係止穴（係止部）５が打ち抜き形成され、その間の表面には製品名等の種々の印刷内容７が付されている。挟持片３の基部裏側には折り曲げ線が形成され、挟持片３の開口２に沿う部分は凹凸形態とした噛み込み縁とされている。上記タグ１の魚釣り竿（製品）の竿棒（棒状部）Ｓへの取り付けは、まず、上端側の係止穴５に竿棒Ｓに突設されたガイドリングＧの基部１５を嵌め入れ係止し、次に、下端側の折り曲げた挟持片３間に竿棒Ｓを位置させて行う。【選択図】図２
0003154109.tif 000002
【実用新案登録請求の範囲】
【請求項１】
製品の棒状部に沿って取り付けられるタグであり、
その一端側に折り曲げ状態において前記棒状部を挟持する一対の挟持片が備えられていることを特徴とするタグ。
【請求項２】
前記挟持片それぞれが折り曲げによりその一部が重なり状態となる請求項１記載のタグ。
【請求項３】
前記挟持片それぞれが前記棒状部への噛み込み縁を持つ請求項１記載のタグ。
【請求項４】
他端側に前記棒状部への係止部が設けられてなる請求項１、２または３記載のタグ。
【請求項５】
魚釣り竿用である請求項１、２、３または４記載のタグ。
【考案の詳細な説明】
【技術分野】
【０００１】  この考案は、魚釣り竿等に取り付けられるタグに関する。
【背景技術】
【０００２】  魚釣り竿等の製品には、その竿棒に沿うように短冊状のタグが取り付けられる場合が多い。タグの取り付けは、その一端に取り付けた金属チェーンや樹脂線材等の取り付け具を製品の一部に係止することで行っている。
【考案の開示】
【考案が解決しようとする課題】
【０００３】  上記の金属チェーンや樹脂線材による取り付けは、別途に取り付け具を用いるので高価となるとともに、それらが小さいので手作業による取り付けに非常に手間がかかる問題があった。
【課題を解決するための手段】
【０００４】  この考案は上記の事情に鑑みて行ったもので、魚釣り竿等に取り付け具を用いることなく容易タグを取り付けることができようにすることを目的とする。【０００５】  この考案では、製品の棒状部に沿って取り付けられるタグであり、その一端側に折り曲げ状態において前記棒状部を挟持する一対の挟持片が備えられていることを特徴とするタグを提供する。【０００６】  上記構成のタグは、折り曲げ状態とされた挟持片それぞれにより棒状部を挟持するようにして製品の棒状部に取り付けることができる。挟持片は折り曲げ状態とされて使用されるので、使用前においてタグは平面形態が維持される。挟持片それぞれが折り曲げによりその一部が重なり状態とされること、また、挟持片それぞれが棒状部への噛み込み縁を持つ構成とされることで強固な取り付け状態が得られる。【０００７】  この考案のタグは厚紙やプラスチックスシート等により製作される。また、この考案のタグは挟持片部分のみで製品の棒状部に取り付けられてもよいが、さらに、他端側に棒状部への係止部を設けて２点で取り付けるようにすることで、さらに安定した取り付け構造が得られる。また、この考案のタグは、棒状部を持つ適宜の製品に使用可能で、とくに、魚釣り竿、ゴルブクラブ等に好適に用いられる。
【考案の効果】
【０００８】  この考案によれば、別途に取り付け具を用いることなく容易に魚釣り竿やゴルフクラブ等に取り付けることができる便利なタグが得られる。厚紙やプラスチックシート等のみよりなるので、製造容易で安価に得られる。
【考案を実施するための形態】
【０００９】  図１はこの考案のタグの平面図、図２、図３は同使用状態を示す斜視図である。タグ１は厚紙よりなり、下端側に一対の挟持片３、３が開口２と切り離し部４が打ち抜き形成されることで設けられ、上端側に係止穴（係止部）５が打ち抜き形成され、その間の表面には製品名等の種々の印刷内容７が付されている。挟持片３、３の基部裏側には折り曲げ線９、９が形成され、挟持片３、３の開口２に沿う部分は凹凸形態とさた噛み込み縁１１、１１とされている。
【００１０】  上記タグ１の魚釣り竿（製品）の竿棒（棒状部）Ｓへの取り付けは、まず、上端側の係止穴５に竿棒Ｓに突設されたガイドリングＧの基部１５を嵌め入れ係止し、次に、下端側の折り曲げた挟持片３、３間に竿棒Ｓを位置させて行う。
【００１１】  挟持片３、３の折り曲げ線９、９それぞれは、図１に示すように、角度ｒを持って形成されているので、挟持片３、３が十分に折り曲げられるとその一部３ａ、３ａが傾斜状態となって重なり、これにより挟持片３、３間に摩擦係合力が働くことで互いがある程度の力により固定される状態となる。このような重なり固定状態において挟持力（矢印で示す）を発揮する挟持片３、３間に竿棒Ｓが安定して挟持され、その際、挟持片３、３の噛み込み縁１１、１１が当接変形することで竿棒Ｓに噛み込み状態となり、タグ１はその下端側において挟持片３、３部分において竿棒Ｓに安定して取り付けられる。
【００１２】  上記のようにして、タグ１は別途取り付け具を用いることなく竿棒Ｓに取り付けられる。なお、竿棒ＳのガイドリングＧの基部１５が巾広い場合には、タグは係止穴５両側の切除片１６、１６が取り除かれ巾広くされた状態で使用される。
【図面の簡単な説明】
【００１３】
【図１】この考案のタグの実施形態の平面図
【図２】この考案のタグの実施形態の使用状態斜視図
【図３】この考案のタグの実施形態の使用状態斜視図
【符号の説明】
【００１４】１    タグ
３    挟持片
１１  噛み込み縁
Ｓ    竿棒（棒状部）
【図１】
0003154109.tif 000003
【図２】
0003154109.tif 000004
【図３】
0003154109.tif 000005
(57)【要約】      （修正有）【課題】複数の製品を加工する手作業組立ラインで生産性の管理をする、携帯用出来高管理カウンターを提供する。【解決手段】簡単な作業は人により補助をして必要機能だけを絞り込んだ出来高管理カウンター１は片手で運ぶことができる小型な単体で、構成は加工タイム表示パネル２、加工タイム設定ボタン３、累積生産目標数表示パネル４、操作スイッチ５、設定加工タイム表示パネル６を有する。加工タイム設定ボタン３により加工タイムを設定し、作業開始と同時に操作スイッチ５をスタート側に倒すと、設定した加工タイム毎に累積生産目標数表示パネル４に目標数がカウントアップされ表示される。作業終了時はストップ側に倒し加工タイムを停止する。同時に累積生産目標数表示パネル４に表示される数はその時点で保持される。加工タイム表示パネル２はワンサイクルの加工時間を表示して機器の作動を示す。【選択図】図１
0003154104.tif 000002
【実用新案登録請求の範囲】
【請求項１】
製品毎に決められた加工タイムを、人の手で加工タイム設定ボタン３により設定でき、設定された加工タイムは設定加工タイム表示パネル６に表示され、加工中は目標加工時間の推移が見える加工タイム表示パネル２及び加工された累積生産目標数を示す累積生産目標数表示パネル４を有し、且つ製品の加工終了時に表示パネルの各数値が保持できる操作スイッチ５を持つ携帯用出来高管理カウンター１。
【考案の詳細な説明】
【技術分野】
【０００１】本考案は、複数の製品を加工する手作業組立ラインで生産性の管理をする、携帯用出来高管理カウンターに関するものである。
【背景技術】
【０００２】従来、累積生産目標数と累積生産実績数の比率（稼動率）を表示管理するのに、手書きの出来高管理表を活用していたが、１ライン又は１人作業工程で定時間内に複数の製品を加工する際には加工目標（加工タイム）がそれぞれ異なるため、出来高管理表が使用しにくい問題があった。また、手作業組立ラインで出来高管理表の代わりによく使用される稼動率計は、操作が複雑で高価である。
【考案が解決しようとする課題】
【０００３】複数の製品を加工する手作業組立ラインで、１ライン又は１人作業工程で生産性の管理をするために、必要機能だけを集約した、作業者でも使い易い出来高管理カウンターを安価に提供することにより課題に対応する。
【考案が解決するための手段】
【０００４】生産する製品毎に設定された加工タイム（目標値）を出来高管理カウンターにセットして、生産開始に合せて出来高管理カウンターをスタートさせ、生産が完了すると出来高管理表カンターをストップする。累積生産実績数と、出来高管理カウンターに表示された累積生産目標数を記録して、出来高管理カウンターをリセットする。次の仕掛け製品の設定された加工タイムを、出来高管理カウンターにセットして生産するの繰り返しになる。一日の終りに定時間内に生産した複数の生産性実績を整理して問題があれば対処する。
【実施例】
【０００５】簡単な作業は人により補助をして必要機能だけを絞り込んだ出来高管理カウンター１は片手で運ぶことができる小型な単体で、構成は加工タイム表示パネル２、加工タイム設定ボタン３、累積生産目標数表示パネル４、操作スイッチ５、設定加工タイム表示パネル６を有する。加工タイム設定ボタン３により加工タイムを設定し、作業開始と同時に操作スイッチ５をスタート側に倒すと、設定した加工タイム毎に累積生産目標数表示パネル４に目標数がカウントアップされ表示される。作業終了時はストップ側に倒し加工タイムを停止する。同時に累積生産目標数表示パネル４に表示される数はその時点で保持される。加工タイム表示パネル２はワンサイクルの加工時間を表示して機器の作動を示す。
実施例の出来高管理カウンターは市販の機能パーツを活用して製作費を押えた。
この携帯用出来高管理カウンターは一個所に保管して必要な人のみが使用することにより携帯用出来高管理カウンターの使用効率を上げ無駄な投資が省ける。
【効果の確認】
【０００６】高価な稼働率計より一桁安く製作でき、作業者に加工タイムの設定方法の説明と簡単な補助シート（出来高管理カウンターの累積生産目標数と累積生産実績数の記入できるシート）の活用により、的確な数値に基づく生産性管理が、作業者レベルでできることが確認でき、全社に展開中である。
【図面の簡単な説明】
【０００７】
【図１】出来高管理カウンターを使った実施例
【符号の説明】
【０００８】１．  出来高管理カウンター
２．  加工タイム表示パネル
３．  加工タイム設定ボタン
４．  累積生産目標数表示パネル
５．  操作スイッチ
６．  表示パネル
【図１】
0003154104.tif 000003